(57)【要約】      （修正有）【課題】タッチパネルの誤動作可能性を低減しながら、ファインダー撮影時の近接検知による表示装置の自動消灯を可能にする。【解決手段】近接検知手段、回動可能な２軸ヒンジ機構により支持された表示手段（ＴＦＴ）と入力手段（タッチパネル）、カメラ本体の姿勢検知手段、カメラ本体またはレンズに接触検知手段を有し、前記近接検知手段と、前記回動可能な２軸ヒンジ機構により支持された表示手段（ＴＦＴ）と入力手段（タッチパネル）の位置、カメラ本体の姿勢検知手段により検知されたカメラ姿勢、前記カメラ本体またはレンズの接触検知手段の接触検知状態、により、前記表示手段（ＴＦＴ）と入力手段（タッチパネル）の挙動を制御する。【選択図】図８
2013251782.tif 000002
【特許請求の範囲】
【請求項１】
近接検知手段を有し、回動可能な２軸ヒンジ機構により支持された表示手段（ＴＦＴ）と入力手段（タッチパネル）を有し、カメラ本体の姿勢検知手段を有し、
前記近接検知手段と、前記回動可能な２軸ヒンジ機構により支持された表示手段（ＴＦＴ）と入力手段（タッチパネル）の位置、前記カメラ本体の姿勢検知手段により検知されたカメラ姿勢、前記カメラ本体またはレンズの接触検知手段の接触検知状態、
により、
前記表示手段（ＴＦＴ）と入力手段（タッチパネル）の挙動を制御する、
ことを特徴とする撮像装置。
【発明の詳細な説明】
【技術分野】
【０００１】
本発明は、近接検知センサを利用した撮像装置に関して、特に表示装置(ＴＦＴ)、入力装置（タッチパネル）の制御方法に関する。
【背景技術】
【０００２】
従来のカメラでは、背面に表示装置(ＴＦＴ)を有し、撮影中の画像を表示したり、設定を行うために利用されている。ファインダーを有するカメラにおいては、ファインダー撮影を行いたいとき、前記表示装置(ＴＦＴ)がファインダーに近い位置で点灯状態にあると、眩しく撮影の妨げとなる。そこで、カメラに近接検知センサを搭載し、近接検知センサの検知状態によって、表示装置の消灯等の制御を行っている。
【０００３】
特許文献１によれば、背面表示装置にタッチパネルを設け、このタッチパネルを用いて表示装置の制御を実現する。第１操作信号（レリーズ釦）と第２操作信号(タッチパネル)を同時に受信することにより、撮影者が接眼ファインダーを覗きこんでいる接眼状態であることを検出する。
【０００４】
特許文献２によれば、ヒンジ軸に締結支持された背面表示装置の姿勢に応じて、誤検知の可能性が高い場合に、接眼検知を無効にする制御を行う。
【先行技術文献】
【特許文献】
【０００５】
【特許文献１】特開２００７−０８６４６０号公報
【特許文献２】特開２０１０−０２１６２１号公報
【発明の概要】
【発明が解決しようとする課題】
【０００６】
しかし、特許文献１では、撮影動作中に指でタッチパネルを操作する機能を搭載した場合には、上記構成によると表示装置が消灯制御されてしまい、操作ができない。特許文献２では、実際にカメラを使用する場合、カメラを構える姿勢、背面表示装置の位置によって、カメラの保持方法やタッチ操作時の手の動かし方が変わるため、誤検知の可能性が変化することになり、実際には誤検知の可能性が低い条件でも、接眼検知が無効にされてしまい、本来の目的である、接眼時の眩しさを低減するという機能が阻害されてしまう。
【課題を解決するための手段】
【０００７】
上記問題点を解決するための本発明に係る撮像装置の構成は以下の通りである。
【０００８】
近接検知手段を有し、
回動可能な２軸ヒンジ機構により支持された表示手段（ＴＦＴ）と入力手段（タッチパネル）を有し、
カメラ本体の姿勢検知手段を有し、
カメラ本体またはレンズに、接触検知手段を有し、
前記近接検知手段と、前記回動可能な２軸ヒンジ機構ににより支持された表示手段（ＴＦＴ）と入力手段（タッチパネル）の位置、前記カメラ本体の姿勢検知手段により検知されたカメラ姿勢、前記カメラ本体およびレンズの接触検知手段の接触検知状態、により、前記表示手段（ＴＦＴ）と入力手段（タッチパネル）の挙動を制御することを特徴とする撮像装置。
【発明の効果】
【０００９】
本発明によれば、カメラ姿勢・バリアングル姿勢によって、表示装置・タッチパネルの制御を変えることで、タッチパネルの誤動作可能性を低減しながら、ファインダー撮影時の近接検知による表示装置の自動消灯が可能となる。
【図面の簡単な説明】
【００１０】
【図１】本発明の第一の実施例であるデジタルカメラの電気的構成を示すブロック図である。
【図２】本発明の第一の実施例であるデジタルカメラの斜視図である。
【図３】本発明の第一の実施例である接触検知手段の斜視図である。
【図４】本発明の第一の実施例であるヒンジ機構の分解斜視図である。
【図５】本発明の第一の実施例である開閉検知構成の断面図である。
【図６】本発明の第一の実施例であるデジタルカメラ使用時の保持姿勢を表す図である。
【図７】本発明の第一の実施例である第一の回転中心軸Ａの開き角度と第二の回転中心軸Ｂの回転角度およびカメラ姿勢における、表示装置・タッチパネルの制御フローである。
【図８】本発明の第一の実施例である第一の回転中心軸Ａの開き角度と第二の回転中心軸Ｂの回転角度、カメラ姿勢、カメラ本体またはレンズの接触検知手段の接触検知状態における、表示装置・タッチパネルの制御の場合分けを示す図である。
【図９】本発明の第一の実施例であるズーム操作環接触検知センサまたはフォーカス操作環接触検知センサが検知状態の場合の、画像表示部・タッチ入力部の制御の場合分けを示した図である。
【発明を実施するための形態】
【００１１】
以下に、本発明の好ましい実施の形態を、添付の図面に基づいて詳細に説明する。
【００１２】
［実施例１］
以下、本発明の好適な実施形態について、添付図面を参照して詳細に説明する。なお、共通する部分には同一の符号を付す。
【００１３】
図１は、本実施例の撮影装置本体であるデジタル一眼レフカメラ１の主要な電気的構成を示すブロック図である。デジタル一眼レフカメラ１に内蔵されたマイクロコンピュータからなる中央処理装置（以下、「ＭＰＵ」と称する）１０００は、カメラの動作制御を司るものであり、各要素に対して様々な処理や指示を実行する。ＭＰＵ１０００に内蔵されたＥＥＰＲＯＭ１０００ａは、時刻計測回路１０９の計時情報やその他の情報を記憶することができる。
【００１４】
ＭＰＵ１０００には、ミラー駆動回路１０１、焦点検出回路１０２、シャッタ駆動回路１０３、映像信号処理回路１０４、スイッチセンス回路１０５、測光回路１０６が接続されている。また、ＬＣＤ駆動回路１０７、バッテリチェック回路１０８、時刻計測回路１０９、電力供給回路１１０、撮像ユニット駆動回路１１１が接続されている。これらの回路は、ＭＰＵ１０００の制御により動作するものである。
【００１５】
ＭＰＵ１０００は、撮影レンズユニット２００ａ内のレンズ制御回路２０１とマウント接点２１を介して通信を行う。マウント接点２１は、撮影レンズユニット２００ａが接続されるとＭＰＵ１０００へ信号を送信する機能も有する。これにより、レンズ制御回路２０１は、ＭＰＵ１０００との間で通信を行い、ＡＦ駆動回路２０２及び絞り駆動回路２０３を介して撮影レンズユニット２００ａ内の撮影レンズ２００及び絞り２０４の駆動を行う。なお、図1では便宜上１枚の撮影レンズ２００のみを図示しているが、実際は多数のレンズ群によって構成される。
【００１６】
ＡＦ駆動回路２０２は、例えばステッピングモータによって構成され、レンズ制御回路２０１の制御により撮影レンズ２００内のフォーカスレンズ位置を変化させ、撮像素子３３に撮影光束の焦点を合わせるように調整する。絞り駆動回路２０３は、例えばオートアイリス等によって構成され、レンズ制御回路２０１の制御により絞り２０４を変化させ、光学的な絞り値を得る。
【００１７】
メインミラー６は、図1に示す撮影光軸に対して４５°の角度に保持された状態で、撮影レンズ２００を通過する撮影光束をペンタダハミラー２２へ導くと共に、その一部を透過させてサブミラー３０へ導く。サブミラー３０は、メインミラー６を透過した撮影光束を焦点検出センサユニット３１へ導く。
【００１８】
ミラー駆動回路１０１は、例えばＤＣモータとギヤトレイン等によって構成され、メインミラー６を、ファインダにより被写体像を観察可能とする位置と、撮影光束から待避する位置とに駆動する。メインミラー６が駆動すると、同時にサブミラー３０も、焦点検出センサユニット３１へ撮影光束を導く位置と、撮影光束から待避する位置とに移動する。
【００１９】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出センサユニット３１から出力される信号は、焦点検出回路１０２へ供給され、被写体像信号に換算された後、ＭＰＵ１０００に送信される。ＭＰＵ１０００は、被写体像信号に基づいて位相差検出法による焦点検出演算を行う。そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。
【００２０】
ペンタダハミラー２２は、メインミラー６により反射された撮影光束を正立正像に変換反射する。撮影者は接眼レンズ１8から被写体像を観察することができる。ペンタダハミラー２２は、撮影光束の一部を測光センサ２３へも導く。測光回路１０６は、測光センサ２３の出力を得て、観察面上の各エリアの輝度信号に変換し、ＭＰＵ１０００に出力する。ＭＰＵ１００は、輝度信号に基づいて露出値を算出する。
【００２１】
シャッタユニット（機械フォーカルプレーンシャッタ）３２は、撮影者がファインダにより被写体像を観察している時には、シャッタ先幕が遮光位置にあると共に、シャッタ後幕が露光位置にある。次いで、撮影時には、シャッタ先幕が遮光位置から露光位置へ移動する露光走行を行って被写体からの光を通過させ、撮像素子３３で撮像を行う。所望のシャッタ秒時の経過後、シャッタ後幕が露光位置から遮光位置へ移動する遮光走行を行って撮影を完了する。機械フォーカルプレーンシャッタ３２は、ＭＰＵ１０００の指令を受けたシャッタ駆動回路１０３により制御される。
【００２２】
撮像ユニット４００は、光学ローパスフィルタ４１０および撮像素子３３が、後述する他の部品と共にユニット化されたものである。撮像素子３３は、被写体像を光電変換するものであり、本実施の形態ではＣＭＯＳセンサが用いられるが、その他にもＣＣＤ型、ＣＭＯＳ型及びＣＩＤ型等様々な形態があり、いずれの形態の撮像デバイスを採用してもよい。撮像素子３３の前方に配置された光学ローパスフィルタ４１０は、水晶からなる１枚の複屈折板である。
【００２３】
撮像ユニット４００の近傍には、後述する撮像ユニット駆動機構６００が配置されている。撮像ユニット駆動機構は、撮像素子を用いたコントラストAFを行う際に、ピントの合うレンズ駆動方向を判別するために、撮像ユニットを撮影光軸方向に沿って前後に微小駆動させる。
【００２４】
クランプ／ＣＤＳ（相関二重サンプリング）回路３４は、Ａ／Ｄ変換する前の基本的なアナログ処理を行うものであり、クランプレベルを変更することも可能である。ＡＧＣ（自動利得調整装置）３５は、Ａ／Ｄ変換する前の基本的なアナログ処理を行うものであり、ＡＧＣ基本レベルを変更することも可能である。Ａ／Ｄ変換器３６は、撮像素子３３のアナログ出力信号をデジタル信号に変換する。
【００２５】
映像信号処理回路１０４は、デジタル化された画像データに対してガンマ／ニー処理、フィルタ処理、モニタ表示用の情報合成処理等、ハードウエアによる画像処理全般を実行する。この映像信号処理回路１０４からのモニタ表示用の画像データは、カラー液晶駆動回路１１２を介してカラー液晶モニタ１９に表示される。また、映像信号処理回路１０４は、ＭＰＵ１０００の指示に従って、メモリコントローラ３８を通じてバッファメモリ３７に画像データを保存することもできる。さらに、映像信号処理回路１０４は、ＪＰＥＧ等の画像データ圧縮処理を行うこともできる。連写撮影等、連続して撮影が行われる場合は、一旦バッファメモリ３７に画像データを格納し、メモリコントローラ３８を通して未処理の画像データを順次読み出すこともできる。これにより、映像信号処理回路１０４は、Ａ／Ｄ変換器３６から入力されてくる画像データの速度に関わらず、画像処理や圧縮処理を順次行うことができる。
【００２６】
メモリコントローラ３８は、外部インタフェース４０から入力される画像データをメモリ３９に記憶し、メモリ３９に記憶されている画像データを外部インタフェース４０から    出力する機能を有する。なお、外部インタフェース４０は、図１におけるビデオ信号出力用ジャック１６及びＵＳＢ出力用コネクタ１７が相当する。メモリ３９としては、カメラ  本体に着脱可能なフラッシュメモリ等が用いられる。
【００２７】
スイッチセンス回路１０５は、各スイッチの操作状態に応じて入力信号をＭＰＵ１００に送信する。スイッチＳＷ１（７ａ）は、レリーズボタン７の第１ストローク（半押し）によりＯＮする。スイッチＳＷ２（７ｂ）は、レリーズボタン７の第２ストローク（全押し）によりＯＮする。スイッチＳＷ２（７ｂ）がＯＮされると、撮影開始の指示がＭＰＵ１０００に送信される。また、メイン操作ダイヤル８、サブ操作ダイヤル２０、撮影モード設定ダイヤル１４、メインスイッチ４３、クリーニング指示スイッチ４４が接続されている。
【００２８】
ＬＣＤ駆動回路１０７は、ＭＰＵ１０００の指示に従って、ＬＣＤ表示パネル９やファインダ内液晶表示装置４１を駆動する。
【００２９】
バッテリチェック回路１０８は、ＭＰＵ１０００の指示に従って、バッテリチェックを行い、その検出結果をＭＰＵ１０００に送信する。電源４２は、カメラの各要素に対して電源を供給する。
【００３０】
時刻計測回路１０９は、メインスイッチ４３がＯＦＦされて次にＯＮされるまでの時間や日付を計測し、ＭＰＵ１０００からの指示に従って、計測結果をＭＰＵ１００に送信する。
【００３１】
１１４は発音体駆動回路であり、MPU１０００の指示に従って、AF合焦時やエラー時などユーザーに注意を促す際に、発音体１１５を駆動する。
【００３２】
１１６は発光体駆動回路であり、MPU１０００の指示に従って、AF補助光や被写体の赤目軽減が必要な場面で、後述のカメラ前面に設けられた発光体１１７を発光させる。
【００３３】
図２（ａ）は、本実施例の撮影装置本体であるデジタル一眼レフカメラ１を前方（被写体側）からみた斜視図を示す。
【００３４】
図２（ｂ）は、本実施例の撮影装置本体であるデジタル一眼レフカメラ１を後方（撮影者側）からみた斜視図を示す。
【００３５】
デジタル一眼レフカメラ本体１には、撮影画像等を確認可能な画像表示部２が設けられている。
【００３６】
画像表示部２は、例えば３．０インチ程度のＴＦＴ液晶パネルなどから構成されている。また、撮影画像等が表示される表示面２ａと背面２ｂと有している。
【００３７】
画像表示部２は、ヒンジ機構３によって、デジタル一眼レフカメラ本体１に対して開閉可能に結合されている。
【００３８】
図２（ｃ）は本実施例のデジタル一眼レフカメラ１の画像表示部２を開いた状態を後方（撮影者側）から見た斜視図である。
【００３９】
第一の回転中心軸Ａにより回転し、画像表示部２が開いていて、且つ表示面２ａが後方（撮影者側）を向いている状態である。この状態で、さらに第二の回転中心軸Ｂにより回転をさせることで、撮影者はより自由なアングルにて撮影を行うことが出来る。
【００４０】
以下に、本実施例における第一の回転中心軸Ａ、第二の回転中心軸Ｂの回動範囲を説明する。
【００４１】
第一の回転中心軸Ａの回動角度は図１（ｂ）の状態を０（°）とし、そこから矢印ａ方向に角度を増加させ、０（°）〜１７５（°）が回動範囲となる。
【００４２】
第二の回転中心軸Ｂの回動角度は図１（ｃ）の状態を０（°）とし、そこから矢印ｂ方向に角度を増加させ、−９０（°）〜１８０（°）が回動範囲となる。
【００４３】
タッチ入力部４は、画像表示部２の表示面２ａと略同一形状に配置され、表示面２ａを指でタッチもしくは近接により、デジタル一眼レフカメラ１への入力操作を行う事ができる。本実施例では、静電容量式タッチパネルを使用するが、感圧式、その他の指やスタイラス等の物体によるタッチおよび近接を検知することが可能な方式であれば検知方法は問わない。
【００４４】
近接検知センサ１００は、物体の近接を検知するセンサであり、画像表示部２の、光学ファインダー１０を挟んだ反対側に設置される。撮影者がファインダー１０を使用しているとき、近接検知センサ１００によって、撮影者を検出できる位置であれば、設置位置は問わない。
【００４５】
本実施例では、赤外線ＬＥＤおよびフォトダイオードを１パッケージに実装した電子部品により構成されている、一般に入手可能な電子部品である。物体の近接を検知できる構造であれば、部品構成・検知手法は問わない。
【００４６】
図３（ａ）は、本発明の第一の実施例である接触検知手段の斜視図である。
【００４７】
撮影レンズ５００は、レンズマウント１１を介して、デジタルカメラ１に取り付けられている。
【００４８】
ズーム操作環５０１は、撮影レンズ５００の鏡筒に設置されており、レンズのズーム操作に利用される。
【００４９】
ズーム操作環接触検知センサ５０１ａは、ズーム操作環５０１の内部に設置され、撮影者がズーム操作環５０１に触れているか否かを検知する。
【００５０】
フォーカス操作環５０２は、撮影レンズ５００に設置されており、レンズのフォーカス操作に利用される。
【００５１】
フォーカス操作環接触検知センサ５０２ａは、フォーカス操作環５０２の内部に設置され、撮影者がフォーカス操作環５０２に触れているか否かを検知する。
【００５２】
カメラ接触検知センサ５０５は、デジタルカメラ本体１のグリップ部５に配設され、撮影者がグリップ部５を握っているか否かを判別する。
【００５３】
本実施例では、ズーム操作環接触検知センサ５０１ａ、フォーカス操作環接触検知センサ５０２ａ、カメラ接触検知センサ５０５には、静電容量センサを利用するが、感圧式センサなど、撮影者が触れているか否かを判別することができれば、センサの種類は問わない。
【００５４】
図３（ｂ）は、本発明の第一の実施例である前記デジタル一眼レフカメラ１および撮影レンズ５００を撮影者が保持している状態を表す。
【００５５】
本発明において、撮影者がデジタル一眼レフカメラ１を使用する際は、グリップ５を右手、マウント１１に装着されたレンズを左手で保持する。
【００５６】
図４は、ヒンジ機構３の分解斜視図である。直交する２軸のヒンジを持つ。図に示したヒンジ機構は一例であり、平行する２軸を持っていてもよい。
【００５７】
３０１ａおよび３０１ｂは背面カバー４０への取り付け部で、ここで背面カバー４０に不図示のビスで取り付けられる。開閉ストッパ３０２ａは、開閉支軸３０２と一体に形成され、ベース板金３１２に形成された突起（不図示）に当接させることで、開閉支軸３０２、３０３による画像表示部２の開きを１８０度に規制する。可動カム３０４は、開閉支軸３０３の軸方向に移動自在に挿入される。コイルバネ３０７が、可動カム３０４を開閉支軸３０３に設けられたカム面方向に常時付勢する。表示取り付け部３０８に画像表示部２が取り付けられる。
【００５８】
回動軸３０８ａは、表示取り付け部３０８と一体に成形され、画像表示部２をデジタルカメラ本体１に対して、図２（ｃ）の回転中心軸Ｂを回転中心として回動させる際の回転軸となる。板バネ３１０が、回動軸３０８ａに所定のトルクを与える。
【００５９】
回動ストッパ３１１を、ベース板金３１２に形成された突起（不図示）に当接させることで、回動軸３０８ａを中心とする画像表示部２の回転を一定範囲に規制する。
【００６０】
開閉支軸３０２、３０３はそれぞれの一端でベース板金３１２に固定される。ベース板金３１２は、回動軸３０９を回動自在に支持する。外装カバー３１３、３１４は、ビス３１５によりベース板金３１２に固定され、ヒンジ機構３を覆う。
【００６１】
検知スイッチ３５０は、開閉支軸３０２、３０３による画像表示部２の開き角度を、開閉ストッパ３０２ａにより検知する。本実施例では、開き角度０（°）〜１７３（°）、および、開き角度１７３（°）〜１７５（°）の２状態の切り替わりを検知する。
【００６２】
検知スイッチ３５１は、画像表示部２の回転中心軸Ｂを中心とした回動を、回動ストッパ３１１に設けられたカム部により検知する。本実施例では、回動角度−９０（°）〜１７５（°）、および、回動角度１７５（°）〜１８０（°）の２状態の切り替わりを検知する。
【００６３】
図５は、本実施例における、背面カバーユニットの、被写体側が図中の下方となるＰ−Ｐ断面を本体部上面から見た図であり、ヒンジ機構３の開閉検知構成を表す。
【００６４】
フレキシブル基板５３は、金属製ホルダー５４によりビス５５で背面カバー５０に固定されている。フレキシブル基板４３には操作用ボタン（不図示）、スピーカ（不図示）、ディテクタスイッチ（不図示）と、これらに付随する抵抗（不図示）、コンデンサ（不図示）等の実装部品が搭載されている。
【００６５】
フレキシブル基板５３は、コネクタ（不図示）によって、本体１に固定された基板（不図示）に対して接続され、前記実装部品に対して電気信号の処理が行われる。
【００６６】
ホルダー５４は、前記フレキシブル基板４３に実装されたホール素子５６の実装面を覆うように成形され、ビス５５を用いて背面カバー５０に固定することで、ホール素子５６を保持している。
【００６７】
ホール素子５６は、磁気検出手段として使用され、本実施例では片極検知（Ｓ極検知）タイプを使用している。一般には、両極検知タイプも存在する。
【００６８】
ホール素子は一般的に、検知タイプに拘わらず、磁束密度に対して、素子固有の感度特性を持ち、その感度を超える磁束密度を感知した場合に出力電圧が切り替わり、出力電圧の切り替わりを検知して使用する。本実施例では、前記出力電圧の切り替わりを、基板（不図示）に実装された集積回路（不図示）によって検知する。
【００６９】
表示面２ａが被写体側を向いて閉じられているとき、かつ、画像表示部２の第一の回転中心軸Ａの開き角度が所定の角度以下の位相では、ユーザーは表示面２ａを確認しないことが想定される。このときに、表示面２ａに用いられているＴＦＴ液晶パネル等を消灯することで、消費電力を削減することができる。また、デジタル一眼レフカメラ１の外装デザイン形状によって、ユーザーは表示面２ａを確認できる角度は変わるため、外装デザイン形状に合わせて、表示面２ａの開き角度は自由に変更可能である。
【００７０】
第二の回転中心軸Ｂの回転角度が０（°）となっていることを前提として、下記に第一の回転中心軸Ａにおける開閉検知の状態を説明する。
【００７１】
図５（ａ）は、画像表示部２が閉じている状態である。前述したように、このときの回転中心軸Ａの角度を０（°）とし、矢印ａ方向に回動角度が増加する。
【００７２】
このとき、画像表示部２に配設された磁石２１の磁束が、ホール素子４６の出力切替のための磁束密度の閾値を超えている。すなわち、磁石の近接を検知している状態であり、このときのホール素子５６の出力に連動して表示面２ａを消灯させている状態である。
【００７３】
図５（ｂ）は、第一の回転中心軸Ａの回動角度が１５（°）の状態である。第一の回転中心軸Ａを中心として、画像表示部２が開くことで、ホール素子５６と磁石２１の位置関係が変化し、それに伴い、ホール素子５６位置における、磁束密度が弱まり、磁石の近接を検知しない状態となる。本実施例では、回動角度がこの図に示した１５（°）以上になる状態において表示面２ａを点灯させる。
【００７４】
図５（ｃ）は、第一の回転中心軸Ａの１７５（°）の状態である。本実施例では、このとき画像表示部２は消灯領域におらず、表示面２ａは点灯している。
【００７５】
表示面２ａが撮影者側を向いて閉じられた場合においては、デジタルカメラ使用時に、表示面２ａの使用が可能なため消灯させない。
【００７６】
図６は、本実施例におけるデジタル一眼レフカメラ１を、撮影者が光学ファインダー１０を使用して撮影する際のカメラ姿勢を表す。
【００７７】
図６（ａ）は、前記デジタル一眼レフカメラ１のグリップ５を右手、マウント１１に装着されたレンズを左手で保持し、前記デジタル一眼レフカメラ１を正位置として保持し、光学ファインダー１０に接眼し、使用している姿勢を示す。本実施例ではこの状態をカメラ姿勢１と定義する。
【００７８】
図６（ｂ）は、前記デジタル一眼レフカメラ１のグリップ５を右手、マウント１１に装着されたレンズを左手で保持し、前記デジタル一眼レフカメラ１を、グリップ５側を下にした縦位置として保持し、光学ファインダー１０に接眼し、使用している姿勢を示す。本実施例ではこの状態をカメラ姿勢２と定義する。
【００７９】
このとき、前記カメラ姿勢１で保持された正位置から、カメラ姿勢２へと姿勢が変わると、デジタル一眼レフカメラ１に搭載された姿勢検知センサ（不図示）により、デジタル一眼レフカメラ１が光軸方向に回転した際の、姿勢の変化を検出する。本実施例では、姿勢検知センサ（不図示）として、回転姿勢検出素子を基板（不図示）に実装して使用しているが、加速度センサ、ジャイロセンサなど、デジタル一眼レフカメラ１の姿勢変化を検出できるデバイスであれば、種類は問わない。
【００８０】
図６（ｃ）は、前記デジタル一眼レフカメラ１のグリップ５を右手、マウント１１に装着されたレンズを左手で保持し、前記デジタル一眼レフカメラ１を、グリップ５側を上にした縦位置として保持し、光学ファインダー１０に接眼し、使用している姿勢を示す。本実施例ではこの状態をカメラ姿勢３と定義する。
【００８１】
図７は、本実施例における、第一の回転中心軸Ａの開き角度と第二の回転中心軸Ｂの回転角度およびカメラ姿勢における、表示装置・タッチパネルの制御フローである。近接センサが検出状態になったとき、ズーム操作環接触検知センサ５０１ａ、フォーカス操作環接触検知センサ５０２ａ、カメラ接触検知センサ５０５、第一の回転中心軸Ａの開き角度と第二の回転中心軸Ｂの回転角度状態、を検出し、検出された状態の組み合わせによって、画像表示部２およびタッチ入力部３の動作を変える。
【００８２】
本実施例における具体的な動作を以下に説明する。
【００８３】
まず、カメラ接触検知センサ５０５が検知している状態において、第一の回転中心軸Ａの開き角度が０〜１５（°）かつ、第二の回転中心軸Ｂが１８０（°）、カメラ姿勢２、の場合を説明する。
【００８４】
デジタル一眼レフカメラ１が前記の状態になっているとき、撮影者がタッチ入力部４に触れて、入力操作を行うとき、カメラ接触検知センサ５０５が検知していることから、デジタル一眼レフカメラのグリップを右手で、入力操作は左手で行われているとみなせる。
【００８５】
このとき、カメラ姿勢２の場合、近接検知センサ１００は撮影者から見て、光学ファインダー１０の右に位置するため、近接検知センサ１００によって撮影者の左手が検知されてしまう可能性は低い。この状態において、近接検知センサ１００が検知状態になった場合、撮影者が光学ファインダー１０に接眼し、使用している状態とみなせる。そこで、フロー(３）のとおり、画像表示部２をオフ（消灯状態）することで防眩動作とし、タッチ入力部４をオフ（入力不可状態）させることで、顔の一部がタッチ入力部４に接触することによる意図しない入力動作を防止し、快適なファインダー撮影を可能にする。
【００８６】
次に、カメラ接触検知センサ５０５が検知している状態において、第一の回転中心軸Ａの開き角度が０〜１５（°）かつ、第二の回転中心軸Ｂが１８０（°）、カメラ姿勢３、の場合を説明する。
【００８７】
デジタル一眼レフカメラ１が前記の状態になっているとき、撮影者がタッチ入力部４に触れて、入力操作を行うとき、カメラ接触検知センサ５０５が検知していることから、デジタル一眼レフカメラのグリップを右手で、入力操作は左手で行われているとみなせる。このとき、カメラ姿勢３の場合、近接検知センサ１００は撮影者から見て、光学ファインダー１０の左に位置するため、タッチ入力部４への入力操作をするとき、近接検知センサ１００によって撮影者の左手が検知されてしまう。そこで、フロー（２）のとおり、画像表示部２をオン（点灯状態）、タッチ入力部４をオン（入力状態）させることで、タッチ入力部４への快適な入力操作を可能にする。
【００８８】
ここで、第一の回転中心軸Ａの開き角度の設定根拠について説明する。
【００８９】
開き角度は１７３（°）以下の範囲としたのは、ヒンジ機構３の製造寸法バラつきにより生じる、検知スイッチ３５０の検知角度のバラつきを考慮した値である。第二の回転中心軸Ｂが１７５（°）以下の範囲となっていることも同様の理由となり、検知スイッチ３５１の検知角度バラつきを考慮した値である。検知角度のバラつきに対応させ、１８０（°）未満までの範囲で自由に変更可能である。本実施例においては、回転中心軸Ｂの検知角度０（°）〜１５（°）、１５（°）〜１７３（°）、１７３（°）〜１７５（°）の３つの範囲を判別する。
【００９０】
次に、ズーム操作環接触検知センサ５０１ａまたはフォーカス操作環接触検知センサ５０２ａが検知している状態において、第一の回転中心軸Ａの開き角度が０〜１５（°）かつ、第二の回転中心軸Ｂが１８０（°）、カメラ姿勢２、の場合を説明する。
【００９１】
デジタル一眼レフカメラ１が前記の状態になっているとき、撮影者がタッチ入力部４に触れて、入力操作を行うとき、ズーム操作環接触検知センサ５０１ａまたはフォーカス操作環接触検知センサ５０２ａが検知していることから、撮影レンズ５００を左手で保持し、入力操作は右手で行われているとみなせる。
【００９２】
このとき、カメラ姿勢２の場合、近接検知センサ１００は撮影者から見て、光学ファインダー１０の右に位置するため、タッチ入力部４への入力操作をするとき、近接検知センサ１００によって撮影者の右手が検知されてしまう。そこで、フロー（２）のとおり、画像表示部２をオン（点灯状態）、タッチ入力部４をオン（入力状態）させることで、タッチ入力部４への快適な入力操作を可能にする。
【００９３】
次に、ズーム操作環接触検知センサ５０１ａまたはフォーカス操作環接触検知センサ５０２ａが検知している状態において、第一の回転中心軸Ａの開き角度が０〜１５（°）かつ、第二の回転中心軸Ｂが１８０（°）、カメラ姿勢３、の場合を説明する。
【００９４】
デジタル一眼レフカメラ１が前記の状態になっているとき、撮影者がタッチ入力部４に触れて、入力操作を行うとき、ズーム操作環接触検知センサ５０１ａまたはフォーカス操作環接触検知センサ５０２ａが検知していることから、撮影レンズ５００を左手で保持し、入力操作は右手で行われているとみなせる。
【００９５】
このとき、カメラ姿勢３の場合、近接検知センサ１００は撮影者から見て、光学ファインダー１０の左に位置するため、近接検知センサ１００によって撮影者の右手が検知されてしまう可能性は低い。この状態において、近接検知センサ１００が検知状態になった場合、撮影者が光学ファインダー１０に接眼し、使用している状態とみなせる。そこで、フロー（３）のとおり、画像表示部２をオフ（消灯状態）することで防眩動作とし、タッチ入力部４をオフ（入力不可状態）させることで、顔の一部がタッチ入力部４に接触することによる意図しない入力動作を防止し、快適なファインダー撮影を可能にする。
【００９６】
前述した通り、第一の回転中心軸Ａの開き角度と第二の回転中心軸Ｂの回転角度、カメラ姿勢、接触検知センサの検知状態による、画像表示部２・タッチ入力部４の制御の場合分けを、以下の図８、図９にまとめる。
【００９７】
図８は、本実施例における、グリップ検知センサ５０５が検知状態の場合の、画像表示部２・タッチ入力部４の制御の場合分けを示した図である。
【００９８】
図９は、本実施例における、ズーム操作環接触検知センサ５０１ａまたはフォーカス操作環接触検知センサ５０２ａが検知状態の場合の、画像表示部２・タッチ入力部４の制御の場合分けを示した図である。
【００９９】
前述のフローで説明したとおり、この場合分けにより、画像表示部２がヒンジ機構３により支持されているデジタル一眼レフカメラ本体１において、光学ファインダー１０を用いた撮影、および、タッチ入力部４を利用した入力操作、を快適に行うことができる。
【０１００】
以上、本発明の好ましい実施形態について説明したが、本発明はこれらの実施形態に限定されず、その要旨の範囲内で種々の変形及び変更が可能である。
【符号の説明】
【０１０１】
１  デジタルカメラ本体
２  画像表示部
３  ヒンジ機構
４  タッチ入力部
５  グリップ部
１０  光学ファインダー
１１  レンズマウント
２１  磁石
５６  ホール素子
９９  姿勢検知センサ
１００  近接検知センサ
５００  撮影レンズ
５０１ａ  ズーム操作環接触検知センサ
５０２ａ  フォーカス操作環接触検知センサ
５０５  カメラ接触検知センサ
【図１】
2013251782.tif 000003
【図２】
2013251782.tif 000004
【図３】
2013251782.tif 000005
【図４】
2013251782.tif 000006
【図５】
2013251782.tif 000007
【図６】
2013251782.tif 000008
【図７】
2013251782.tif 000009
【図８】
2013251782.tif 000010
【図９】
2013251782.tif 000011